(57)【特許請求の範囲】
【請求項１】
使用面側に設けた表面シートと、裏面側に設けた裏面シートと、これらの間に介在され使用面側から透過する体液を吸収する吸収要素とを有し、
展開平面視において当接部と、この当接部からそれぞれ延在する延在部と、前記延在部から連続する被覆部とがＬ字形とされ、製品状態で前記Ｌ字の内側二辺が相互に接合されたものであって、
着用時において、前記当接部は、着用者の左右鼠径部とこれらを着用者の陰茎を含んで跨ぐ領域とで実質的に区画される着用者の鼠径下腹領域に当てられるものであり、
前記延在部は前記当接部から着用者の下方に延び、
前記当接部の下方側に陰茎の挿通部が形成され、
前記被覆部は、左右に分離した、打ち合わせ可能な対としての左右の分離被覆片を有し、
着用時において、少なくとも陰茎の先端側部分は、前記当接部の着用者の腹側から前記挿通部を通して反対側に挿通され、この挿通状態で前記着用者の陰茎下側が前記延在部に対向しており、
前記着用者の陰茎上側は一対の前記分離被覆片の打ち合わせによって被覆され、
陰茎の先端側部分が前記延在部及び前記被覆部で包まれるように構成されている、
ことを特徴とする男性用吸収性物品。
【請求項２】
少なくとも、前記当接部、前記延在部及び前記被覆部の挿通した陰茎部に対応する部分は、使用面側が液透過性であり、裏面側が液不透過性である請求項１記載の男性用吸収性物品。
【請求項３】
前記挿通部は、下方が窄まり、上方が膨らんだほぼ液滴形状をなしている請求項１記載の男性用吸収性物品。
【請求項４】
前記挿通部より下方側においてその左右に延びる、または前記挿通部を横切って左右に延びる、予め形成されたあるいは使用者の操作によって破断される切欠部が形成されている請求項１または３に記載の男性用吸収性物品。
【請求項５】
前記切欠部は、前記当接部と前記延在部との境界に位置し、その境界部分には前記吸収要素が設けられていない請求項４記載の男性用吸収性物品。
【請求項６】
一対の前記分離被覆片の打ち合わせ状態を維持するための接合部が形成されている請求項１記載の男性用吸収性物品。
【発明の詳細な説明】
【技術分野】
【０００１】
本発明は、男性用吸収性物品に関する。より詳細には、男性の陰茎の大きさに関係なく、どの着用者にも装着しやすく、尿が腹側へ伝ったとしても、腹もれしない男性用吸収性物品に関する。
【背景技術】
【０００２】
成人向けの排泄物吸収性物品（おむつ）としては、テープタイプ、パンツタイプ等の基本吸収性物品の他に、これらと併用することを想定した、より小型のフラットタイプやパッドタイプと呼ばれるものが市販されており、これらの組み合わせは特にケア施設等の介護現場において汎用されている。すなわち、こう縮が発生している装着者等の場合、上記基本吸収性物品だけでは装着者の身体表面に対して適切にフィットさせることが困難なことがあり、そのような場合、フラットタイプの補助吸収性物品をじゃばら状等の適宜の形状に変形し、身体表面と基本製品との間の隙間（又は隙間が生じやすい部分）に挟んだり、特に装着者が男性のときには円錐状に丸めて陰茎に巻き付けたりする（以下、男性巻きともいう）対応が取られている。
【０００３】
袋状のパッドタイプのものとして、特許文献１および特許文献２に記載の発明がある。
【先行技術文献】
【特許文献】
【０００４】
【特許文献１】特開２００１−２０４７５５号公報
【特許文献２】特開２０１１−３０９６２号公報
【発明の概要】
【発明が解決しようとする課題】
【０００５】
しかし、特許文献２の袋状のパッドタイプのものは、男性器が短い場合には装着が難しい、装着後に外れてしまうことがある。
この点、特許文献１のものでは、装着性の点で優れるが、男性器の向きや状態によって、男性器とパッドとの間に空間ができてしまい、尿がパッドに吸収されず、肌を伝わり腹側から漏れることがある。
この原因の一つに、購入者数を考えれば男性器のサイズに応じて複数のパッドが提供されるものではないので、単一サイズのものに限られがちであることにある。
この点、いわゆる男性巻きである場合には、対象者の男性器のサイズに応じて現場において陰茎に巻き付けられるために、男性器が短い場合などと関係なく装着されるので、装着性が優れ、男性器のサイズ（特に陰茎の径が細いこと）が原因となって、男性器とパッドとの間に空間ができ、漏れも比較的に少ない傾向にある。
【０００６】
いわゆる男性巻きは利点があるものの、依然として解決できないのは、装着している過程での男性器の向きや状態によって、たとえば男性器の先端部が腹側に反り返った場合には、パッドからはみ出ることがあり、尿がパッドに吸収されず、肌を伝わり腹側から漏れることがある。
【０００７】
使用者のなかには、腹もれを防止するために、陰茎を覆うパッドに加えて、お腹にもう１枚吸収体パッドを置いてモレを防止しており、これでは介護者にとって装着により一層の手間を要しコストがかかるという問題がある。
【０００８】
本発明は、上記問題を解決するためになされたものであり、男性器のサイズに関係なく、装着性の点で優れ、漏れを効果的に防止できる男性用パッドを提供することにある。
【課題を解決するための手段】
【０００９】
本発明の課題を解決するための請求項１記載の発明として、
使用面側に設けた表面シートと、裏面側に設けた裏面シートと、これらの間に介在され使用面側から透過する体液を吸収する吸収要素とを有し、
展開平面視において当接部と、この当接部からそれぞれ延在する延在部と、前記延在部から連続する被覆部とがＬ字形とされ、製品状態で前記Ｌ字の内側二辺が相互に接合されたものであって、
着用時において、前記当接部は、着用者の左右鼠径部とこれらを着用者の陰茎を含んで跨ぐ領域とで実質的に区画される着用者の鼠径下腹領域に当てられるものであり、
前記延在部は前記当接部から着用者の下方に延び、
前記当接部の下方側に陰茎の挿通部が形成され、
前記被覆部は、左右に分離した、打ち合わせ可能な対としての左右の分離被覆片を有し、
着用時において、少なくとも陰茎の先端側部分は、前記当接部の着用者の腹側から前記挿通部を通して反対側に挿通され、この挿通状態で前記着用者の陰茎下側が前記延在部に対向しており、
前記着用者の陰茎上側は一対の前記分離被覆片の打ち合わせによって被覆され、
陰茎の先端側部分が前記延在部及び前記被覆部で包まれるように構成されている、
ことを特徴とする男性用吸収性物品が提供される。
【００１０】
（作用効果）
当接部の下方側に陰茎の挿通部が形成され、着用時において、少なくとも陰茎の先端側部分は、前記当接部の着用者の腹側から前記挿通部を通して反対側に挿通されるので、挿通状態で前記着用者の陰茎下側が前記延在部に対向する。
他方で、前記着用者の陰茎上側に対しては、主に陰茎の挿通後における左右の分離被覆片の打ち合わせによって、あるいは陰茎のサイズに応じた左右の分離被覆片の打ち合わせ後における陰茎の挿通によって、陰茎上側が被覆され、前記着用者の少なくとも陰茎の先端側部分が前記延在部及び前記被覆部で包まれる。
したがって、対象者の陰茎のサイズに応じた分離被覆片の打ち合わせがなされるので、男性用吸収性物品が外れ難いものとなる。また、陰茎の挿通及び分離被覆片の打ち合わせは煩雑ではなく比較的簡易に行なうことができる点で装着性に優れる。
対象者の陰茎のサイズに応じた分離被覆片の打ち合わせは、延在部及び被覆部との分離を防止して接触状態を確保できるものとなるので、漏れ防止効果が高い。
さらに、仮に腹側に漏れようとしても、当接部の下方側に陰茎の挿通部が形成されているから、逆に、陰茎の挿通状態では、陰茎より臍側に当接部が存在している関係で、漏れた尿を当接部が吸収でき、外部への漏れを防止できる。たとえば、挿通部を通して陰茎を挿通した後に、陰茎の先端側が臍側に反り返った状態で排尿があった場合などにおいて、外部への漏れを防止する効果をもたらす。
【００１１】
請求項２記載の発明として、少なくとも、前記当接部、前記延在部及び前記被覆部の挿通した陰茎部に対応する部分は、使用面側が液透過性であり、裏面側が液不透過性である請求項１記載の男性用吸収性物品が提供される。
【００１２】
（作用効果）
少なくとも、当接部、延在部及び被覆部の挿通した陰茎部に対応する部分は、使用面側が液透過性であり、裏面側が液不透過性であり、それらの間に使用面側から透過して体液の吸収要素が介在されているために、排尿があったとき、使用面側から尿を透過して吸収要素で吸収できる。
【００１３】
請求項３記載の発明として、前記挿通部は、下方が窄まり、上方が膨らんだほぼ液滴形状をなしている請求項１記載の男性用吸収性物品が提供される。
【００１４】
（作用効果）
挿通部は、下方が窄まり、上方が膨らんだほぼ液滴形状をなしていると、陰茎を挿入した後は、下方の窄まり部分の縁が、陰茎の外周面に接するようにし、陰茎の外周面と挿通部の縁との間からの漏れを抑制できる。また、挿通部の形状としてたとえば円形である場合には、それ以上の径に開口することはないが、本発明に従って、非使用時には上方が膨らんだほぼ液滴形状の挿通部であると、特に挿通部の下方の窄まり部分の縁が立体的に形状変化し、非使用時の液滴形状の最大径部より挿通部全体がさらに大きく開口し、陰茎の挿通を許容する。したがって、液滴形状の最大径部の径を小さくし、陰茎の外周面に挿通部の縁を積極的に接触させるようにすることにより、漏れの抑制効果を高いものとすることができる。
【００１５】
請求項４記載の発明として、前記挿通部の下方側においてその左右に延びる、または前記挿通部を横切って左右に延びる、予め形成されたあるいは使用者の操作によって破断される切欠部が形成されている請求項１または３に記載の男性用吸収性物品が提供される。
【００１６】
（作用効果）
切欠部が形成されていると、陰茎を挿通後において、陰茎の上下方向の変形力の作用は、当接部に対する延在部の持ち上がり変形しようとする力となり、その変形力に応じて、切欠部が開口するようになるので、変形抵抗力はなく、そのまま変形し、延在部の変形に追従し易くなり、陰茎の外周面と挿通部の縁との接触状態の維持が安定し、漏れの抑制効果が高いものとなる。
【００１７】
請求項５記載の発明として、前記切欠部は、前記当接部と前記延在部との境界に位置し、その境界部分には前記吸収要素が設けられていない請求項４記載の男性用吸収性物品が提供される。
【００１８】
（作用効果）
吸収要素が設けられていない切欠部が、変形力の作用によって容易に開口するようになり、請求項４の作用効果が顕著にあらわれるようになる。
【００１９】
請求項６記載の発明として、一対の前記分離被覆片の打ち合わせ状態を維持するための接合部が形成されている請求項１記載の男性用吸収性物品が提供される。
【００２０】
(削除)
【発明の効果】
【００２１】
本発明によると、男性器のサイズに関係なく、装着性の点で優れ、漏れを効果的に防止できるなどの利点がもたらされる。
【図面の簡単な説明】
【００２２】
【図１】本発明にかかる男性用吸収性物品の製品化前の展開平面図である。
【図２】製品状態の側面図である。
【図３】図２の状態から製品を拡げて着用者に当てがう前の段階の斜視図である。
【図４】製品を着用者に当てがう段階の状態を、図１の展開状態との関係で示した平面図である。
【図５】製品を着用者に当てがった状態の着用者に向き合った正面図である。
【図６】本発明にかかる男性用吸収性物品に着用者の陰茎を挿入した状態の側面図である。
【図７】陰茎と挿通部との関係の説明用斜視図である。
【図８】陰茎と挿通部との関係の説明用図である。
【図９】他の挿通部の左右に切欠部を形成した例の平面図である。
【図１０】図９の態様における陰茎と挿通部との関係の説明用平面図である。
【図１１】着用者の鼠径下腹領域Ｚを示した正面図である。
【発明を実施するための形態】
【００２３】
以下、本発明の吸収性物品を実施するための形態について、図面を参照しながら具体的に説明する。
以下の説明において、「上方」及び「下方」などにおける上下方向とは、本発明の吸収性物品を図５のように着用した状態における上下（伸張）方向をいう。「左右」とは、同じく本発明の吸収性物品を図５のように着用した状態における左右方向（体の中心に対し左右幅方向）をいう。
また、「陰茎下側」とは、陰茎のうち精巣に近い側をいい、「陰茎上側」とは、陰茎下側と反対の側をいう。
【００２４】
本発明の男性用吸収性物品は、着用時において、図５に示すように、着用者Ｍの左右鼠径部ｍ、ｍとこれらを着用者Ｍの陰茎Ｐを含んで跨ぐ領域とで実質的に区画される着用者の鼠径下腹領域Ｚ（図１１）に当てられる当接部１０と、当接部１０から着用者の下方に延びる延在部２０Ａ，２０Ｂと、延在部２０Ａ，２０Ｂから連続し、着用者の少なくとも陰茎Ｐの先端側部分を上側から覆う被覆部３０と、を有し；当接部１０の下方側に陰茎Ｐの挿通部１が形成され、被覆部３０は、左右に分離した、打ち合わせ可能な対としての左右の分離被覆片３０Ａ，３０Ｂを有し、着用時において、少なくとも陰茎Ｐの先端側部分は、当接部１０の着用者の腹側から挿通部１を通して反対側に挿通され、この挿通状態で着用者Ｍの陰茎Ｐ下側が延在部２０Ａ，２０Ｂに対向しており、着用者Ｍの陰茎Ｐ上側に対する左右の分離被覆片３０Ａ，３０Ｂの打ち合わせによって陰茎Ｐ上側が被覆され、着用者の少なくとも陰茎Ｐの先端側部分が延在部２０Ａ，２０Ｂ及び被覆部３０で包まれるように構成されているものである。
【００２５】
本発明の男性用吸収性物品は、生産段階で、図１〜図３に示すように、液不透過性の裏面シート５１に対し、綿状パルプなどからなる吸収要素５２を設け、その反対側（使用面側）に液透過性の表面シート５３を設け、たとえば図１に示すＬ字形に成形しておく。
この場合、少なくとも当接部１０、延在部２０Ａ，２０Ｂ、並びに分離被覆片３０Ａ（好適には分離被覆片３０Ｂも）の所定の個所には、吸収要素５２を設けておく。
【００２６】
他方、生産の最終段階で、Ｌ字形の開放側縁相互を、たとえば図１及び図２の符号Ｓで示す部分を熱溶着やホットメルト接着剤などにより接合しておく。また、陰茎Ｐの適宜形状の挿通部１を形成しておく。図示例の挿通部１形状は、下方が窄まり、上方が膨らんだほぼ液滴形状をなしている。挿通部１形状は、単なる円形でもよいが、液滴形状であると後述する利点をもたらす。
【００２７】
さらに実施の形態では、Ｌ字形の境界部分に、挿通部１の下方側においてその左右に延びる（着用状態において左右に延びる）、予め形成されたあるいはミシン目などにより使用者の操作によって破断される切欠部４０Ａ，４０Ｂが形成されている。
【００２８】
また、図２、図４及び図５が参照されるように、左右の分離被覆片３０Ａ，３０Ｂの打ち合わせ状態を維持し、陰茎Ｐ上側の被覆状態維持するために、分離被覆片３０Ａの角部に接合部６０が設けられている。接合部６０は、粘着剤塗布部６０ａを剥離テープ６０ｂで覆ったもので、使用において、剥離テープ６０ｂを剥離除去して粘着剤塗布部６０ａを露出させて、分離被覆片３０Ａ上に分離被覆片３０Ｂを打ち合わせ状態（前身頃の重ね合わせ状態）にする。
【００２９】
一方、先に説明した、吸収要素５２は、剛性を与え、折りを阻害する性質を示すので、最終的に図４及び図５の折り成形を目的からして、図１〜図３に示す谷折り線（一点鎖線）で谷折りする形態が望ましいので、その谷折り線の個所には、吸収要素５２を設けないようにするのが望ましい。
【００３０】
本発明の男性用吸収性物品の使用に際しては、図２の状態から製品を、図３のように拡げて着用者の局部に当てがう。その際に、陰茎Ｐを裏面側から使用面側に向かって挿通部１を挿通する。この挿通状態を図６及び図７に示した。
【００３１】
また、剥離テープ６０ｂを剥離除去して粘着剤塗布部６０ａを露出させて、図１が参照される谷折り線Ｌａ，Ｌｂを境にして谷折りし、図４〜図６に示すように、分離被覆片３０Ａ上に分離被覆片３０Ｂを打ち合わせ状態（前身頃の重ね合わせ状態）にする。
その結果、少なくとも陰茎Ｐの先端側部分は、当接部１０の裏面側から挿通部１を通して使用面側に挿通され、この挿通状態で着用者Ｍの陰茎Ｐ下側が延在部２０Ａ，２０Ｂに対向しており、着用者Ｍの陰茎Ｐ上側に対する左右の分離被覆片３０Ａ，３０Ｂの打ち合わせによって陰茎Ｐ上側が被覆される。この被覆状態は、接合部６０によって維持される。
【００３２】
この場合において、切欠部４０Ａ，４０Ｂが形成されていると、陰茎Ｐを挿通後において、陰茎の上下方向の変形力の作用（寝ている姿勢の変化による変形力）は、当接部１０に対する延在部２０Ａ，２０Ｂの持ち上がり変形しようとする力となり、その変形力に応じて、切欠部４０Ａ，４０Ｂが、図６のように開口するようになるので、変形抵抗力はなく、そのまま変形し、延在部の変形に追従し易くなり、陰茎Ｐの外周面と挿通部の縁との接触状態の維持が安定し、漏れの抑制効果が高いものとなる。
【００３３】
挿通部１の形状として、下方が窄まり、上方が膨らんだほぼ液滴形状をなしていると、陰茎Ｐを挿入した後は、図７に示すように、下方の窄まり部分の縁が、陰茎の下側の外周面に接するようにし、陰茎の外周面と挿通部の縁との間からの漏れを抑制できる。
また、挿通部の形状としてたとえば円形である場合には、それ以上の径に開口することはないが、実施の形態に従って、非使用時には上方が膨らんだほぼ液滴形状の挿通部１であると、特に挿通部１の下方の窄まり部分の縁が立体的に形状変化し、図８に示すように、非使用時の液滴形状の径部Ｄ０より挿通部全体がさらに大きく開口して径部Ｄ１になり、陰茎の挿通を許容する。したがって、液滴形状の最大径部の径を小さくし、陰茎の外周面に挿通部の縁を積極的に接触させるようにすることにより、漏れの抑制効果を高いものとすることができる。
【００３４】
以上のように、本発明においては、当接部１０の下方側に陰茎Ｐの挿通部１が形成され、着用時において、少なくとも陰茎Ｐの先端側部分は、当接部１０の着用者の腹側から前記挿通部１を通して反対側に挿通されるので、挿通状態で着用者Ｍの陰茎Ｐ下側が前記延在部２０Ａ，２０Ｂに対向する。
他方で、着用者Ｍの陰茎Ｐ上側に対しては、主に陰茎Ｐの挿通後における左右の分離被覆片３０Ａ，３０Ｂの打ち合わせによって、あるいは陰茎Ｐのサイズに応じた左右の分離被覆片３０Ａ，３０Ｂの打ち合わせ後における陰茎の挿通によって、陰茎Ｐ上側が被覆され、着用者Ｍの少なくとも陰茎Ｐの先端側部分が延在部２０Ａ，２０Ｂ及び被覆部３０で包まれる。
したがって、対象者の陰茎Ｐのサイズに応じた分離被覆片３０Ａ，３０Ｂの打ち合わせがなされるので、男性用吸収性物品が外れ難いものとなる。また、陰茎Ｐの挿通及び分離被覆片３０Ａ，３０Ｂの打ち合わせは煩雑ではなく比較的簡易に行なうことができる点で装着性に優れる。
対象者Ｍの陰茎Ｐのサイズに応じた分離被覆片３０Ａ，３０Ｂの打ち合わせは、延在部２０Ａ，２０Ｂ及び被覆部３０との分離を防止して接触状態を確保できるものとなるので、漏れ防止効果が高い。
さらに、仮に腹側に漏れようとしても、当接部の下方側に陰茎Ｐの挿通部１が形成されているから、逆に、陰茎Ｐの挿通状態では、陰茎Ｐより臍側に当接部が存在している関係で、漏れた尿を当接部が吸収でき、外部への漏れを防止できる。たとえば、挿通部１を通して陰茎Ｐを挿通した後に、陰茎Ｐの先端側が臍側に反り返った状態で排尿があった場合などにおいて、外部への漏れを防止する効果をもたらす。
【００３５】
ところで、切欠部の位置としては、図９及び図１０に示すように、挿通部１を横切って左右に延びる切欠部４１Ａ，４１Ｂでもよい。切欠部４１Ａ，４１Ｂも同様に、予め形成されたあるいは使用者の操作によって破断されるものでもよい。
この切欠部４１Ａ，４１Ｂは挿通部１と相俟って、たとえば図１０のように変形が可能である。
【００３６】
実施の形態における液透過性表面シート５３としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。肌当接面シートに多数の透孔を形成した場合には、尿などが速やかに吸収されるようになり、ドライタッチ性に優れたものとなる。
【００３７】
液不透過性裏面シート５１としては、ポリエチレンまたはポリプロピレンなどの液不透過性プラスチックシートが用いられるが、近年はムレ防止の点から透湿性を有するものが好適に用いられる。この液不透過性裏面シート５１は、たとえばポリエチレンやポリプロピレン等のオレフィン樹脂中に無機充填材を溶融混練してシートを形成した後、一軸または二軸方向に延伸することにより得られる微多孔性シートである。
【００３８】
吸収要素５２としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収要素５２は、形状及びポリマー保持等のため、必要に応じてクレープ紙等の、液透過性及び液保持性を有する包装シートによって包装することができる。吸収要素５２の形状は、図示形態のように長方形状や三角形状とする他、円状のものや、これらの形状のものを任意に組み合わせたものとすることができる。
【００３９】
なお、本発明における着用者の左右鼠径部とこれらを着用者の陰茎を含んで跨ぐ領域とで実質的に区画される着用者の鼠径下腹領域とは、これを厳格に介するべきでなく、陰茎の挿通を行なうことに適した部位であって、臍下の下腹部であると概略的に解するべきものである。
【符号の説明】
【００４０】
１              挿通部
１０            当接部
２０Ａ，２０Ｂ  延在部
３０            被覆部
３０Ａ，３０Ｂ  分離被覆片
Ｍ              着用者
Ｐ              陰茎
【図１】
0005913822.tif 000002
【図２】
0005913822.tif 000003
【図３】
0005913822.tif 000004
【図４】
0005913822.tif 000005
【図５】
0005913822.tif 000006
【図６】
0005913822.tif 000007
【図７】
0005913822.tif 000008
【図８】
0005913822.tif 000009
【図９】
0005913822.tif 000010
【図１０】
0005913822.tif 000011
【図１１】
0005913822.tif 000012